(57)【特許請求の範囲】
【請求項１】
内部圧力の昇圧のために液状の内容物とは別に圧力ガスを圧力充填されるエアゾール缶用のバルブ装置であって、
バルブ本体より垂下された可撓性のディップチューブの先端に重り部材を装着され、前記重り部材に前記ディップチューブの先端ポートを開口形成されており、
前記先端ポートは前記重り部材に前記ディップチューブの径方向と同方向に延在して設けられた横孔により前記重り部材の側面に開口していることを特徴とするエアゾール缶用のバルブ装置。
【請求項２】
前記圧力ガスは炭酸ガスであることを特徴とする請求項１に記載のバルブ装置。
【発明の詳細な説明】
【０００１】
【産業上の利用分野】
本発明は、エアゾール缶用のバルブ装置に関し、特に内部圧力の昇圧のために液状の内容物とは別に炭酸ガスなどによる圧力ガスを圧力充填されるエアゾール缶用のバルブ装置に関するものである。
【０００２】
【従来の技術】
エアゾール缶用のバルブ装置は、一般に、弁体、弁座部を内蔵したバルブ本体より垂下された合成樹脂などによる可撓性のディップチューブを有し、ディップチューブの先端に重り部材を装着され、重り部材の底面（先端面）にディップチューブの先端ポートを開口されている。このバルブ装置はバルブ本体に一体接続されたマウンテンキャップと共にエアゾール缶の口部にかしめ結合されることによりエアゾール缶を密閉する。この装着状態下においては、先端ポートは重り部材と共にエアゾール缶の底部近傍にて缶内の内容物中に浸漬される。
【０００３】
エアゾール缶には、内部圧力を昇圧するために、液状の内容物とは別に炭酸ガスなどが圧力充填されるものがあり、この炭酸ガスの圧力充填は、エアゾール缶に内容物を充填したのちに、エアゾール缶にかしめ結合されたバルブ装置より行われる。
バルブ装置よりの炭酸ガスの圧力充填時には、そのガス充填によってエアゾール缶の内圧が急上昇して規定圧力以上になることを回避するために、炭酸ガスを内容物である液中に溶かすことによって圧力上昇を抑制しながら行う必要がある。このことに対して炭酸ガスはディップチューブの先端ポートより内容物中に噴出するから、炭酸ガスは、ある程度、内容物中に溶けるが、しかし充分ではないことが多い。このため従来は、エアゾール缶を外部より揺らして内容物を撹拌することにより、炭酸ガスが内容物に溶け易いようにしている。
【０００４】
【発明が解決しようとする課題】
しかしながら、この場合には、エアゾール缶を外部より揺らすための装置が別途必要となり、炭酸ガスの圧力充填装置、充填ラインの構造が複雑なものになる。
本発明は、上述の如き問題点に着目してなされたものであり、エアゾール缶を外部より揺らす装置を必要とすることなく、内容物を撹拌した状態にて炭酸ガスなどの圧力ガスをエアゾール缶内に良好に圧力充填できるように改良されたエアゾール缶用のバルブ装置を提供することを目的としている。
【０００５】
【課題を解決するための手段】
上述の目的を達成するため、本発明によるエアゾール缶用のバルブ装置は、バルブ本体より垂下された可撓性のディップチューブの先端に重り部材を装着され、前記重り部材に前記ディップチューブの先端ポートが開口形成されているエアゾール缶用のバルブ装置において、前記先端ポートが前記重り部材に前記ディップチューブの径方向と同方向に延在して設けられた横孔により前記重り部材の側面に開口していることを特徴としている。
【０００６】
【作  用】
上述の構成によれば、バルブ装置よりエアゾール缶内に炭酸ガスなどの圧力ガスが圧力充填されると、その圧力ガスは重り部材の側面に開口した先端ポートより噴出されるから、その反力によって重り部材が、ディップチューブより吊り下げられてエアゾール缶内の内容物中に浸漬された状態で、横方向に振り回されるようにして激しく動くようになる。これにより内容物がかき回され、エアゾール缶を外部より揺らすことなく撹拌効果が得られ、炭酸ガスなどの圧力ガスが内容物に溶け易いようになり、所要の圧力ガスの圧力充填が良好に行われるようになる。
【０００７】
【実施例】
以下に添付の図を参照して本発明を実施例について詳細に説明する。
図１は本発明によるバルブ装置を取り付けられたエアゾール缶の一実施例を示している。図１において、１は圧力構造体によるエアゾール缶を、３はバルブ装置を各々示している。
【０００８】
バルブ装置３はバルブ本体５と一体接続されているマウンテンキャップ７をもってエアゾール缶１の口部９にかしめ結合され、シール部材１１と共にエアゾール缶１を密閉容器とする。バルブ本体５は、内部に弁体、弁座部、ばねなどを内蔵し、ステム１３を押し下げられることにより開弁する一般的構造のものである。
【０００９】
バルブ本体５のポート１５には合成樹脂などによる可撓性のディップチューブ１７の一端がはめ込み式に連通接続されている。ディップチューブ１７は、バルブ本体５より垂下され、エアゾール缶１の底部に位置する先端に重り部材１９が装着されている。重り部材１９は盲孔２１にディップチューブ１７を挿入されており、盲孔２１と重り部材１９の外側面との間にディップチューブ１７の径方向と同方向に延在した横孔２３による先端ポート２５が重り部材１９の側面に開口している。これによりディップチューブ１７は側方開口の先端ポート２５のみをもってエアゾール缶１内に連通する。
【００１０】
エアゾール缶１に対する炭酸ガスの圧力充填は、エアゾール缶１に内容物を装填したのちに、エアゾール缶１にかしめ結合されたバルブ装置３のステム１３より逆流式に行われる。
バルブ装置３よりエアゾール缶１内に炭酸ガスが圧力充填されると、その炭酸ガスは重り部材１９の側面に開口している先端ポート２５より噴出されるから、その噴射反力がディップチューブ１７の径方向の力（推力）として重り部材１９に作用する。このため重り部材１９は、ディップチューブ１７より吊り下げられてエアゾール缶１内の内容物中に浸漬された状態で、ディップチューブ１７と共に横方向に振り回されるようにして激しく動くようになる。
【００１１】
これによりエアゾール缶１内に内容物がかき回され、エアゾール缶１を外部より揺らすことなく撹拌効果が得られ、炭酸ガスが内容物に溶け易いようになり、エアゾール缶１の内圧が急上昇することが回避され、所要の炭酸ガスの圧力充填が良好に行われるようになる。
なお、炭酸ガスを２５ｋｇｆ／ｃｍ2 程度の圧力をもって圧力充填する場合には、先端ポート２５の口径は０．４〜１．０ｍｍ程度であればよい。また先端ポート２５の形状は円形の限定されることはなく、スリット状であってよい。
【００１２】
表１は、水／アルコール混合物を収容した容器に対して炭酸ガスを充填し、同じ平衡圧力を得る場合の実験結果を示している。実験は、異なった水／アルコール比率の内容物を収容した容器に対して、本発明のエアゾール缶用のバルブ装置により炭酸ガスを充填する場合（横方向）と、比較例として従来のバルブ装置により充填する場合（下方）との双方で行った。表から明らかなように、本発明のエアゾール缶用のバルブ装置により炭酸ガスを充填する場合には、初期圧力値が低い値で所定の平衡圧力を得ることができ、本発明のバルブ装置の優位性が立証されている。
【００１３】
【表１】
0003641501.tif 000002
【００１４】
【発明の効果】
以上の説明から理解される如く、本発明によるエアゾール缶用のバルブ装置によれば、バルブ装置よりエアゾール缶内に炭酸ガスなどの圧力ガスが圧力充填されると、その圧力ガスは重り部材の側面に開口した先端ポートより噴出され、その反力によって重り部材がエアゾール缶内の内容物中に浸漬された状態で、横方向に振り回されるようにして激しく動くようになるから、内容物がかき回され、エアゾール缶を外部より揺らすことなく撹拌効果が得られ、炭酸ガスなどの圧力ガスが内容物に溶け易いようになり、所要の圧力ガスの圧力充填が良好に行われるようになる。これによりエアゾール缶を外部より揺らす装置が不要になり、炭酸ガスの圧力充填装置、充填ラインの構造が簡素化される。
【図面の簡単な説明】
【図１】本発明によるバルブ装置を取り付けられたエアゾール缶の一実施例を示す断面図。
【符号の説明】
１…エアゾール缶
３…バルブ装置
５…バルブ本体
７…マウンテンキャップ
１３…ステム
１７…ディップチューブ
１９…重り部材
２３…横孔
２５…先端ポート
【図１】
0003641501.tif 000003